(57)【特許請求の範囲】
【請求項１】
下部末端に固定支持部材が形成された固定部（２００）、
前記固定部（２００）の上部に装着され、内部にはオイルが貯蔵される収容空間（３１０）が形成されたシリンダー部（３００）、
前記シリンダー部（３００）の収容空間（３１０）に一側が挿着され、反対側は外部に位置するとともに末端に伸縮固定部材（４１０）が装着され、前記収容空間（３１０）に貯蔵されるオイルの移動によって昇降作動する支持部（４００）、
前記収容空間（３１０）に挿入された支持部（４００）の末端に装着されて連動する隔壁状態のシーリング部を含むピストン部（５００）、
前記シリンダー部（３００）の外面に配置され、上下部にはそれぞれシリンダー部（３００）と連通する上部連結部材（６１０）及び下部連結部材（６２０）が装着され、前記上部連結部材（６１０）及び前記下部連結部材（６２０）の末端には垂直連結部材（６３０）が装着され、前記下部連結部材（６２０）と垂直連結部材（６３０）の連結部分にはレバー（６５０）の操作によって前記下部連結部材（６２０）と前記垂直連結部材（６３０）との間の連通を許すか遮断するバルブ装着孔（６４２）が備えられたバルブ（６４０）が装着されたバルブ部（６００）、及び、
前記上部連結部材（６１０）及び前記下部連結部材（６２０）の末端にそれぞれ装着され、シリンダー部（３００）の内部にオイルを供給するオイル供給部（６７０）、を含んでなり、
前記上部連結部材（６１０）及び前記下部連結部材（６２０）と、シリンダー部（３００）とが結合されるシリンダー結合孔（３３０）にはオイルの移動時に円滑な移動を保障するとともに負荷を防止するために案内傾斜面（３３２）と支持傾斜面（３３４）が互いに異なる傾斜角を有するように形成される、自己油圧伸縮装置。
【請求項２】
前記下部連結部材（６２０）にはバルブ部（６００）に過負荷がかかることを防止するために補助バルブ（６８０）が少なくとも一つ以上選択的に装着される、請求項１に記載の自己油圧伸縮装置。
【発明の詳細な説明】
【技術分野】
【０００１】
本発明は自己油圧伸縮装置に関するもので、より詳しくはバルブ部の簡単な操作によって支持部の伸縮長を伸縮装備の結合長に伸縮することができるだけでなくオイル充填を迅速になし得るようにした自己油圧伸縮装置に関するものである。
【背景技術】
【０００２】
一般に、各種機械の軸を伸縮する装置及び建設装備の張力を調節する張力調節装置には代表的にターンバックル（ｔｕｒｎｂｕｃｋｌｅ）が使われる。
【０００３】
このようなターンバックル（ｔｕｒｎｂｕｃｋｌｅ）は、綱、チェーン、ワイヤなどを引っ張って締めるのに使う締付器具を言うもので、左右にネジ棒を有する部品であり、一方の雄ネジは右ネジで、他方の雄ネジは左ネジで構成され、雌ネジを有する部品、つまりナットを回転すれば二つの雄ネジは互いに近づく、反対に回転すれば互いに遠くなる。
【０００４】
このような作動過程を用いて構造物の支持棒、支持鋼鉄ロープ、鋼鉄棒、ロープなどをぴんと引っ張るとき、中間にターンバックルを介在させ、これを回すことでぴんと引っ張って張力を調節する。
【０００５】
前記のように、伸縮装置の代表的な器具であるターンバックルの構造を図１及び図２に基づいて説明すると次のようである。
【０００６】
伸縮する両側の同軸ロッド部材の間の結合長が調整可能な軸方向連結を確立するためのターンバックルにおいて、通常の雌ネジ式管形スリーブ１０の各端部（ｅｎｄ）には結合雄ネジ式ロッド部材２１、２２を収容する雌ネジ部１１、１２が形成され、一方のスリーブ端部及びその結合ロッドは左ネジが形成され、他方のスリーブ端部及びその結合ロッドは右ネジが形成されている。
【０００７】
前記スリーブ１０が回転するのに伴い、両ロッド２１、２２はスリーブ１０の回転方向によってスリーブ１０に締め込まれるかスリーブ１０から解けて出ることになる。両ロッド２１、２２の間に必要な軸間隔が得られた後、ターンバックルを正常位置に締結するのに締結器具が使われる。
【０００８】
このようなターンバックルは鋳物又は鍛造によって成形され、構造物の支持棒、維持鋼鉄ロープ、鋼鉄棒又はロープなどをぴんと引っ張るとき、中間にターンバックルを介在させ、これを回転させることによってぴんと引っ張ることができる。
【０００９】
前記のように、伸縮装置として一般的に使われるターンバックルは、結合長を調整する両側の同軸ロッドの端部とスリーブの内側に対応方向のネジが形成され、回転によって対応のネジ部が互いに作用して長さを調節するもので、長さを調節するために、螺合されたスリーブを継続して回転しなければならないため、伸縮させるのに多大な時間及び力が必要となる問題点があった。
【００１０】
また、従来のターンバックルはスリーブの内部に形成されたネジと対応するネジ部が形成された同軸ロッドを螺合し、スリーブを回転させることによって結合長を伸縮するもので、ネジの回転による同軸の移送によって長さが調節され、螺糸山の結合空間の間隙によって発生するバックラッシュ現象のため、調整後に一定距離だけ変位する変位量によって伸縮量が変わる問題点があった。
【００１１】
そして、従来のターンバックルは、長さを調節するように連結された両側の同軸ロッドと中央のスリーブを螺合で結合した状態で遊動が発生すれば、結合されたネジが回転するのに伴い緩まり現象が発生するため、一定した伸縮距離を維持することができない問題点があった。
【００１２】
また、従来のターンバックルは、対応方向に形成されたネジの結合によって、一方向に回転すれば伸長し、反対方向に回転すれば縮小するように構成されるようにネジで結合されるから、螺糸山が耐える伸縮強度に限界があるため、所定容量以上が必要であるとき、ネジを用いてターンバックルを使いにくい問題点があった。
【発明の概要】
【発明が解決しようとする課題】
【００１３】
本発明は前記のような問題点を解決するために案出されたもので、レバーの作動によるバルブ部の簡単な操作によって支持部の伸縮長を調節して伸縮装備の結合長に自己油圧伸縮装置を容易に伸縮することができるようにすることにその目的がある。
【００１４】
また、シリンダー部と連結部材が連結される部分に案内傾斜面及び支持傾斜面を形成することにより、オイルの移動時に連結部分に伝達される負荷を減少させ、シリンダー部と連結部材の内部にはオイルを貯蔵して伸縮装備の高荷重を支えることができるようにすることにその目的がある。
【００１５】
また、従来の自己油圧伸縮装置に比べ、シリンダー部と連結部材及びバルブ部によって容易で迅速に伸縮するようにすることにその目的がある。
【００１６】
また、上下部連結部材に形成されるオイル供給部を通じてシリンダー部の収容空間にオイルを迅速に供給するとともに状況によってオイルを実時間で補充するようにすることにその目的がある。
【課題を解決するための手段】
【００１７】
本発明の実施例による自己油圧伸縮装置は、下部末端に固定支持部材が形成された固定部；前記固定部の上部に装着され、内部にはオイルが貯蔵される収容空間が形成されたシリンダー部；前記シリンダー部の収容空間に一側が挿着され、反対側は外部に位置するとともに末端に伸縮固定部材が装着され、前記収容空間に貯蔵されるオイルの移動によって昇降作動する支持部；前記収容空間に挿入された支持部の末端に装着されて連動する隔壁状態のシーリング部を含むピストン部；前記シリンダー部の外面に配置され、上下部にはシリンダー部と連通する上下連結部材が装着され、前記上下部連結部材の末端には垂直連結部材が装着され、前記下部連結部材と垂直連結部材の連結部分にはレバーの操作によって前記連結部材間の連通を許すか遮断するバルブ装着孔が備えられたバルブが装着されたバルブ部；及び前記上下部連結部材の末端に装着され、シリンダー部の内部にオイルを供給するオイル供給部；を含んでなる。
【００１８】
そして、前記上下部連結部材とシリンダー部が結合されるシリンダー結合孔にはオイルの移動時に円滑な移動を保障するとともに負荷を防止するために案内傾斜面と支持傾斜面が互いに異なる傾斜角を有するように形成される。
【００１９】
また、前記下部連結部材にはバルブ部に過負荷がかかることを防止するために補助バルブが少なくとも一つ以上選択的に装着されることができる。
【発明の効果】
【００２０】
本発明の実施例によると、レバーの作動によるバルブ部の簡単な操作によって支持部の伸縮長を調節して伸縮装備の結合長に自己油圧伸縮装置を容易に伸縮することができるだけでなく使用の便宜性を向上させることができる効果がある。
【００２１】
また、シリンダー部と連結部材が連結される部分に案内傾斜面及び支持傾斜面を形成することにより、オイルの移動時に連結部分に伝達される負荷を減少しながらも破損を防止することができるだけではなく、シリンダー部と連結部材の内部にはオイルを貯蔵して伸縮装備の高荷重を支えることができるので、多様な形態に使うことができる効果がある。
【００２２】
また、従来の自己油圧伸縮装置に比べ、シリンダー部と連結部材及びバルブ部によって容易で迅速に伸縮することができるので、正確な作動とともに容易な制御が可能な効果がある。
【００２３】
また、上下部連結部材に形成されるオイル供給部を通じてシリンダー部の収容空間にオイルを迅速に供給するとともに状況によってオイルを実時間で補充することができるので、半永久的に使用可能であるだけでなく、製品生産の際、二つのオイル供給部が備えられているため、一方のオイル供給部にオイルを注入するときに他方のオイル供給部を通じてシリンダーの空気を迅速に排出させる効果があるので、製品の生産性向上の効果がある。
【図面の簡単な説明】
【００２４】
【図１】従来のターンバックルを示した斜視図及び断面図である。
【図２】従来のターンバックルを示した斜視図及び断面図である。
【図３】本発明による自己油圧伸縮装置を示した斜視図である。
【図４】本発明による自己油圧伸縮装置を示した部分断面図である。
【図５】本発明による自己油圧伸縮装置を構成するシリンダー部とバルブ部の他の実施例を示した部分拡大断面図である。
【図６】本発明による自己油圧伸縮装置を構成するシリンダー部とバルブ部のさらに他の実施例を示した部分拡大図である。
【図７】本発明による自己油圧伸縮装置の作動状態を示した図である。
【図８】本発明による自己油圧伸縮装置の作動状態を示した図である。
【図９】本発明による自己油圧伸縮装置の作動状態を示した図である。
【発明を実施するための形態】
【００２５】
以下、本発明が属する技術分野で通常の知識を有する者が容易に実施することができるように本発明の実施例について添付図面を参照して詳細に説明する。しかし、本発明は色々の相異なる形態に具現可能であり、ここで説明する実施例に限定されない。明細書全般にわたって類似した部分に対しては同じ図面符号を付ける。
【００２６】
以下、本発明の構成を添付図面に基づいて説明すると、図３は本発明による自己油圧伸縮装置を示した斜視図、図４は本発明による自己油圧伸縮装置を示した部分断面図、図５は本発明による自己油圧伸縮装置を構成するシリンダー部とバルブ部の他の実施例を示した部分拡大断面図、図６は本発明による自己油圧伸縮装置を構成するシリンダー部とバルブ部のさらに他の実施例を示した部分拡大図である。
【００２７】
本発明による自己油圧伸縮装置１００は、固定部２００と、前記固定部２００の上部に装着されるシリンダー部３００と、前記シリンダー部３００の上部に装着されて昇降作動する支持部４００と、前記シリンダー部３００の内部に位置する支持部４００の末端に装着される隔壁状態のシーリング部を含むピストン部５００と、前記シリンダー部３００の外面に配置され、シリンダー部３００に貯蔵されるオイルを支持部４００の作動によって上下に移動させるバルブ部６００などでなる。
【００２８】
前記固定部２００は所定の高さ及び直径を有する円柱状に形成され、下部末端には伸縮装備と連結される固定支持部材２１０が形成される。
【００２９】
すなわち、前記固定部２００は所定の高さ及び直径を有する円柱の下部に固定支持部材２１０を一体に形成することで、伸縮装備と連結されるようにしたものである。
【００３０】
この際、前記固定部２００は円柱以外にも多様な断面形状に形成されることができ、前記固定支持部材２１０は伸縮装備との結合力を高めるために断面が“逆Ｕ字”形状に形成され、両側に結合孔２１２が形成される。
【００３１】
前記固定部２００の上部に装着されるシリンダー部３００は所定の高さ及び直径を有する円柱状に形成され、内部にはオイルが貯蔵される収容空間３１０が形成され、上部には支持部貫通孔３２０が形成される。
【００３２】
すなわち、前記シリンダー部３００は所定の高さ及び直径を有する円筒形状に形成されて前記固定部２００の上部に一体に形成され、内部にはオイルが貯蔵される収容空間３１０が形成され、上部中央には支持部貫通孔３２０が形成されるものである。
【００３３】
そして、前記シリンダー部３００の上下部には、バルブ部６００によってオイルを伝達することができるようにシリンダー結合孔３３０が形成される。
【００３４】
すなわち、前記シリンダー部３００のシリンダー結合孔３３０は、支持部４００の作動による隔壁状態のシーリング部を含むピストン部５００の作動の際、バルブ部６００によってオイルを上部又は下部に移動させることができるようにしたものである。
【００３５】
この際、前記シリンダー結合孔３３０は、収容空間３１０の上下部に位置するオイルの移動の際、円滑な移動を図るとともに負荷を防止するために、案内傾斜面３３２と支持傾斜面３３４が互いに異なる傾斜角を有するように形成される。
【００３６】
これをより詳細に説明すると、前記シリンダー結合孔３３０は、傾いた案内傾斜面３３２及び支持傾斜面３３４の傾斜角によって収容空間３１０に貯蔵されるオイルを伝達部材に案内し、前記案内傾斜面３３２の角より小さく形成される支持傾斜面３３４によって多量のオイルを伝達部材に案内することができるようにしたものである。
【００３７】
前記シリンダー部３００の上部に配置される支持部４００はシリンダー部３００の収容空間３１０に一側が挿着され、反対側は外部に位置し、末端に伸縮固定部材４１０が装着される。
【００３８】
すなわち、前記支持部４００は収容空間３１０に貯蔵されるオイルの移動によって上昇又は下降作動することになり、外部には、伸縮装備と連結されるように、末端に伸縮固定部材４１０が装着されたものである。
【００３９】
この際、前記伸縮固定部材４１０の反対側に位置する支持部４００の末端には隔壁状態のシーリング部を含むピストン部５００との円滑な結合のために、段差部４２０が形成されることができる。
【００４０】
前記シリンダー部３００の内部に位置する支持部４００の末端に装着される隔壁状態のシーリング部を含むピストン部５００は、隔壁形状のピストン５１０と、前記ピストン５１０の外側に装着されるシーリング部５２０とからなる。
【００４１】
すなわち、前記隔壁状態のシーリング部を含むピストン部５００はシリンダー部３００の収容空間３１０に位置する段差部４２０に装着され、前記支持部４００の移動時にこれと連動してオイルを下部又は上部に移動させるようになるものである。
【００４２】
この際、前記隔壁状態のシーリング部を含むピストン部５００は、図面に示した隔壁状態のシーリング部を含むピストン部以外にも、公知のピストンのいずれか一つを選んで構成することができる。
【００４３】
前記シリンダー部３００の外面に配置されるバルブ部６００は、上下部にシリンダー部３００と連通する上下部連結部材６１０、６２０が装着され、前記上下部連結部材６１０、６２０の末端には垂直連結部材６３０が連通するように装着され、前記下部連結部材６２０と垂直連結部材６３０の連結部分には、レバー６５０の操作によって連結部材６２０、６３０間の連通を許すかあるいは遮断するバルブ装着孔６４２が備えられたバルブ６４０が装着される。
【００４４】
そして、本発明において、前記バルブ部６００は、シリンダー部３００の上下部に形成されるシリンダー結合孔３３０に上部連結部材６１０及び下部連結部材６２０が水平に連通するように装着され、前記上下部連結部材６１０、６２０の間には垂直連結部材６３０が連通するように装着され、前記下部連結部材６２０と垂直連結部材６３０の連結部分には、レバー６５０の作動と連動して連結部材６２０と連通するバルブ装着孔６４２が備えられたバルブ６４０が装着される。
【００４５】
すなわち、前記バルブ部６００は、シリンダー部３００の上下部に位置するシリンダー結合孔３３０に上下部連結部材６１０、６２０を連結した後、前記上下部連結部材６１０、６２０の間に垂直連結部材６３０を連結した後、前記下部連結部材６２０の垂直連結部材６３０にレバー６５０が備えられたバルブ６４０を装着したものである。
【００４６】
この際、前記バルブ６４０は、レバー６５０の作動と連動して、前記上下部連結部材６１０、６２０を通じて伝達されるオイルを循環させるかあるいはオイルの移動を遮断するようになるものである。
【００４７】
また、前記バルブ６４０の外面には、レバー６５０の作動範囲を制限することができるように、間隔を置いてストッパー６６０が装着される。
【００４８】
また前記上下部連結部材６１０、６２０の末端には、シリンダー部３００の内部にオイルを供給するか排出することができるようにオイル供給部６７０が装着される。
【００４９】
すなわち、前記オイル供給部６７０は上下連結部材６１０、６２０の末端に形成されるオイル供給孔６７２と、前記オイル供給孔６７２を遮断するかあるいは開放するオイル供給孔閉鎖具６７４とから構成され、前記シリンダー部３００の収容空間３１０にオイルを供給するか排出するようにしたものである。
【００５０】
この際、前記オイル供給部６７０を上下連結部材６１０、６２０にそれぞれ形成したことは、一方に位置するオイル供給部６７０にオイルを供給する間に他方に位置するオイル供給部６７０を開放し、前記シリンダー部３００の収容空間３１０と連結部材６１０、６２０、６３０に収容される空気を外部に排出して迅速にオイルを供給するためである。
【００５１】
その上、前記オイル供給部６７０はシリンダー部３００の収容空間３１０にオイルを補充する役目をする。すなわち、前記オイル供給部６７０は、支持部４００の前後進作動によって外部に排出されるオイルを補充することによって半永久的に自己油圧伸縮装置１００を使うことができるだけではなく、製品の生産工程時に生産性を向上させることができる利点が得られるようになるものである。
【００５２】
また、前記連結部材６１０、６２０、６３０には、バルブ６４０へオイルが移動するときに過負荷がかかることを防止するために、補助バルブ６８０が選択的に装着される。
【００５３】
すなわち、前記補助バルブ６８０は連結部材６１０、６２０、６３０に選択的に装着され、前記バルブ６４０に伝達される圧力が設定値を超える場合には前記連結部材６１０、６２０、６３０の内部を遮断してオイルの移動を防止し、前記バルブ６４０に伝達される圧力が設定値以下の場合には前記連結部材６１０、６２０、６３０の内部を開放してオイルが移動することができるようにする。
【００５４】
この際、前記バルブ６４０には圧力の測定のために公知の圧力ゲージが補助バルブ６８０と連結されるのは言うまでもない。
【００５５】
前記のように構成される自己油圧伸縮装置の実施例を参照して説明すると次のようである。
【００５６】
まず、所定の高さ及び直径を有する円柱状に形成され、下部末端には伸縮装備と連結される固定支持部材２１０が形成された固定部２００を形成する。
【００５７】
そして、前記固定部２００の上部には、所定の高さ及び直径を有する円柱状に形成され、内部にはオイルが貯蔵される収容空間３１０が形成され、上部には支持部貫通孔３２０が形成され、上下部にはバルブ部６００の伝達部材と連通するシリンダー結合孔３３０が形成されたシリンダー部３００を装着する。
【００５８】
ついで、前記シリンダー部３００には、所定の高さ及び直径を有し、前記シリンダー部３００の収容空間３１０に段差部４２０が形成された一側が挿着され、反対側は外部に位置するとともに末端に伸縮固定部材４１０が装着された支持部４００を装着する。
【００５９】
この際、前記支持部４００の段差部４２０には、ゴム又は合成樹脂で製作され、外面がシリンダー部３００の内面と密着したままで移動する隔壁状態のシーリング部を含むピストン部５００を装着する。
【００６０】
ついで、前記シリンダー部３００の外面に、上下部にシリンダー部３００と連通する上下部連結部材６１０、６２０が装着され、前記上下部連結部材６１０、６２０の末端には垂直連結部材６３０が連通するように装着され、前記下部連結部材６２０と垂直連結部材６３０の連結部分にはレバー６５０の操作によって連結部材６２０、６３０間の連通を許すかあるいは遮断するバルブ装着孔６４２が備えられたバルブ６４０が装着され、前記上下部連結部材６１０、６２０の末端にはシリンダー部３００の内部にオイルを供給するか排出することができるようにオイル供給部６７０が装着されたバルブ部６００を装着することで、自己油圧伸縮装置１００の組立てが完了するものである。
【００６１】
ここで、前記自己油圧伸縮装置の組立て順序は前記と違っても良い。
【００６２】
前記のように構成される自己油圧伸縮装置の使用状態を説明すると次のようである。
【００６３】
まず、前記自己油圧伸縮装置１００を構成する上下部連結部材６１０、６２０に装着されるオイル供給部６７０を介してシリンダー部３００の収容空間３１０と連結部材６１０、６２０、６３０の内部にオイルを供給する。
【００６４】
この時、前記オイル供給部６７０は、一方に位置するオイル供給部６７０にオイルを供給する間に他方に位置するオイル供給部６７０を開放することで、前記シリンダー部３００の収容空間３１０と連結部材６１０、６２０、６３０に収容される空気を外部に排出して迅速にオイルを供給することができるようになる。
【００６５】
そして、前記自己油圧伸縮装置１００を伸縮装備に移動させた後、前記固定部２００の末端に形成された固定支持部材２１０を伸縮装備に固定結合した後、前記バルブ部６００のレバー６５０を作動させることで、バルブ６４０のバルブ装着孔６４２が下部連結部材６２０及び垂直連結部材６３０と連通するようにする。
【００６６】
ついで、前記シリンダー部３００と結合される支持部４００を伸縮装備の連結部分に伸ばした後、前記支持部４００の上部末端に装着される伸縮固定部材４１０を伸縮装備に連結する。
【００６７】
この時、前記ピストン５００の上部に位置するシリンダー部３００の収容空間３1０に貯蔵されるオイルは上部連結部材６１０、垂直連結部材６３０、バルブ６４０及び下部連結部材６２０を通じて前記ピストン５００の下部に位置するシリンダー部３００の収容空間３1０に移動するようになる。
【００６８】
さらに、前記オイルはシリンダー部３００、連結部材６１０、６２０、６３０及びバルブ６４０を通じて迅速に移動するので、正確な作動とともに容易な制御の利点も得ることができるようになる。
【００６９】
そして、前記バルブ部６００のレバー６５０を反対方向に作動させることで、バルブ装着孔６４２が下部連結部材６２０と垂直連結部材６３０の連通を遮断する。
【００７０】
このように、前記自己油圧伸縮装置は、レバーの簡単な操作によって伸縮装備に対応する伸縮長に容易に作動することができるだけではなく、シリンダー部と連結部材の内部に貯蔵されるオイルによって伸縮装備の高荷重を支えることができるようになるものである。
【００７１】
以上、添付図面に基づいて本発明による自己油圧伸縮装置を特定の形状及び方向を基準に説明したが、本発明は当業者によって多様な変形及び変更が可能であり、このような変形及び変更は本発明の権利範囲に属するものとして解釈されなければならない。
【図１】
0006467728.tif 000002
【図２】
0006467728.tif 000003
【図３】
0006467728.tif 000004
【図４】
0006467728.tif 000005
【図５】
0006467728.tif 000006
【図６】
0006467728.tif 000007
【図７】
0006467728.tif 000008
【図８】
0006467728.tif 000009
【図９】
0006467728.tif 000010